【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
第１端末および、前記第１端末とは異なる第２端末と通信する情報処理装置によって実行されるプログラムであって、
前記第１端末のユーザによって予約され、前記第１端末のユーザとは異なるユーザに譲渡可能な施設の予約に関する予約情報を、前記第１端末から前記情報処理装置の通信部によって受信することと、
前記第２端末のユーザによって入力された検索条件を前記第２端末から前記通信部によって受信することと、
前記検索条件に基づき、前記予約情報を前記第１端末に前記通信部によって送信することと、
前記予約情報に基づく、前記施設の予約の譲渡を要求する要求情報を前記第１端末から前記通信部によって受信することと、
前記要求情報の受信に基づいて、前記第２端末のユーザへの前記施設の予約の譲渡に関する処理を前記情報処理装置の制御部によって行うこととが前記情報処理装置によって実行される。
【請求項２】
請求項１に記載のプログラムであって、
前記第１端末のユーザとは異なるユーザに前記施設の予約を譲渡する条件に関する譲渡条件を、前記通信部により前記第１端末から受信することが前記情報処理装置によって実行される。
【請求項３】
請求項２に記載のプログラムであって、
前記譲渡条件は、金銭またはポイントの情報を含む。
【請求項４】
請求項３に記載のプログラムであって、
前記第２端末のユーザによる前記第２端末への入力に基づいて、前記譲渡条件に基づく決済の処理を、前記制御部によって前記第２端末のユーザに対して行うことが前記情報処理装置によって実行される。
【請求項５】
請求項１から請求項４のいずれか一項に記載のプログラムであって、
前記予約情報は、前記施設を予約した日付の情報を含む。
【請求項６】
請求項１から請求項５のいずれか一項に記載のプログラムであって、
前記予約情報は、前記施設を利用する人数の情報を含む。
【請求項７】
請求項１から請求項６のいずれか一項に記載のプログラムであって、
前記検索条件は、日付の情報を含む。
【請求項８】
請求項１から請求項７のいずれか一項に記載のプログラムであって、
前記検索条件は、人数の情報を含む。
【請求項９】
請求項１から請求項８のいずれか一項に記載のプログラムであって、
前記検索条件は、場所の情報を含む。
【請求項１０】
請求項１から請求項９のいずれか一項に記載のプログラムであって、
前記第２端末のユーザへの前記施設の予約の譲渡に関する前記処理は、前記第２端末のユーザへ前記施設の予約が譲渡されたことを示す情報を前記通信部によって前記第２端末に送信する処理を含む。
【請求項１１】
請求項１から請求項１０のいずれか一項に記載のプログラムであって、
前記第２端末のユーザへの前記施設の予約の譲渡に関する前記処理は、前記第２端末のユーザへ前記施設の予約が譲渡されたことを示す情報を前記通信部によって前記第１端末に送信する処理を含む。
【請求項１２】
第１端末および、前記第１端末とは異なる第２端末と通信する情報処理装置であって、
前記第１端末のユーザによって予約され、前記第１端末のユーザとは異なるユーザに譲渡可能な施設の予約に関する予約情報を、前記第１端末から受信し、前記第２端末のユーザによって入力された検索条件を前記第２端末から受信し、前記検索条件に基づき、前記予約情報を前記第１端末に送信し、前記予約情報に基づく、前記施設の予約の譲渡を要求する要求情報を前記第１端末から受信する通信部と、
前記要求情報の受信に基づいて、前記第２端末のユーザへの前記施設の予約の譲渡に関する処理を行う制御部とを備える。
【請求項１３】
第１端末および、前記第１端末とは異なる第２端末と通信する情報処理装置の情報処理方法であって、
前記第１端末のユーザによって予約され、前記第１端末のユーザとは異なるユーザに譲渡可能な施設の予約に関する予約情報を、前記第１端末から前記情報処理装置の通信部によって受信することと、
前記第２端末のユーザによって入力された検索条件を前記第２端末から前記通信部によって受信することと、
前記検索条件に基づき、前記予約情報を前記第１端末に前記通信部によって送信することと、
前記予約情報に基づく、前記施設の予約の譲渡を要求する要求情報を前記第１端末から前記通信部によって受信することと、
前記要求情報の受信に基づいて、前記第２端末のユーザへの前記施設の予約の譲渡に関する処理を前記情報処理装置の制御部によって行うこととを含む。
【手続補正２】
【補正対象書類名】明細書
【補正対象項目名】００１２
【補正方法】変更
【補正の内容】
【００１２】
本発明に係るプログラムは、第１端末および、第１端末とは異なる第２端末と通信する情報処理装置によって実行されるプログラムであって、第１端末のユーザによって予約され、第１端末のユーザとは異なるユーザに譲渡可能な施設の予約に関する予約情報を、第１端末から情報処理装置の通信部によって受信することと、第２端末のユーザによって入力された検索条件を第２端末から通信部によって受信することと、検索条件に基づき、予約情報を第１端末に通信部によって送信することと、予約情報に基づく、施設の予約の譲渡を要求する要求情報を第１端末から通信部によって受信することと、要求情報の受信に基づいて、第２端末のユーザへの施設の予約の譲渡に関する処理を情報処理装置の制御部によって行うこととが情報処理装置によって実行される。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】変更
【補正の内容】
【００２２】
本発明に係る情報処理装置は、第１端末および、第１端末とは異なる第２端末と通信する情報処理装置であって、第１端末のユーザによって予約され、第１端末のユーザとは異なるユーザに譲渡可能な施設の予約に関する予約情報を、第１端末から受信し、第２端末のユーザによって入力された検索条件を第２端末から受信し、検索条件に基づき、予約情報を第１端末に送信し、予約情報に基づく、施設の予約の譲渡を要求する要求情報を第１端末から受信する通信部と、要求情報の受信に基づいて、第２端末のユーザへの施設の予約の譲渡に関する処理を行う制御部とを備える。
【手続補正１３】
【補正対象書類名】明細書
【補正対象項目名】００２３
【補正方法】変更
【補正の内容】
【００２３】
本発明に係る情報処理装置の情報処理方法は、第１端末および、第１端末とは異なる第２端末と通信する情報処理装置の情報処理方法であって、第１端末のユーザによって予約され、第１端末のユーザとは異なるユーザに譲渡可能な施設の予約に関する予約情報を、第１端末から情報処理装置の通信部によって受信することと、第２端末のユーザによって入力された検索条件を第２端末から通信部によって受信することと、検索条件に基づき、予約情報を第１端末に通信部によって送信することと、予約情報に基づく、施設の予約の譲渡を要求する要求情報を第１端末から通信部によって受信することと、要求情報の受信に基づいて、第２端末のユーザへの施設の予約の譲渡に関する処理を情報処理装置の制御部によって行うこととを含む。